(57)【要約】【課題】光ディスクのユーザが多様化しているため、記録面を直接手で触れ、記録再生特性が損なわれる危険性がある。【解決手段】光ディスクの情報層１０３に対し光ビームを入射する記録面に着脱可能な保護シート１０２を貼付し、記録面に対向するラベル面には凹凸情報を追記可能なシート１０４を備えることで、記録面トラベル面との識別性を向上させ、ユーザの多様性に適合させる。また、記録面に貼付した保護シート１０２は、指紋等が付着し情報層１０３の記録再生特性に変化を来した場合には貼り替えることで、記録再生特性を維持することができる。【選択図】図１
2007280576.tif 000002
【特許請求の範囲】
【請求項１】
情報信号を記録再生できる情報層を備え、前記情報層に光ビームを入射させ当該情報層に情報信号を記録または再生する記録面と、前記記録面と反対側のラベル面とを有し、前記記録面及び前記ラベル面夫々貼り付けられた２つのシートを備える光ディスクであって、
前記記録面に貼り付けられたシートは、前記情報層に対して記録及び／または再生するレーザー光波長を透過し、前記ラベル面に貼り付けられたシートは、凹凸を含む印刷の追記可能であり、
前記記録面に貼り付けられたシートは貼り替え可能であることを特徴とする光ディスク。
【発明の詳細な説明】
【技術分野】
【０００１】
本発明は、ＣＤ、ＤＶＤ等の再生又は記録を行う光ディスク関するものである。
【背景技術】
【０００２】
近年、ＣＤ、ＤＶＤ等の映像や音楽、ゲーム等各種データを記録した光ディスクが広く利用されている。これら光ディスクは記録媒体にデジタルデータが記録されているが、何が記録されているかを知るためにはドライブで再生しないと通常はわからない。そのため画像データであればインデックスプリントを併せて保管したり、あるいは特許文献１で開示されているように、ディスク表面に内容を表示するシールを貼り付けるといったことが提案されてきた。
【０００３】
また、手のひらの小さい子供等が使用する例えばゲーム用の光ディスクや、視覚障害者が記録面を識別し易くするため、例えば特許文献２では、表面に点字等で凹凸をつけて印字するといったことが提案されてきた。
【特許文献１】特開２００３−１８７５５２号公報
【特許文献２】実用新案第３００８５７４号公報
【発明の開示】
【発明が解決しようとする課題】
【０００４】
しかしながら、そもそも最初の表裏の区別が難しいため、片面に触ることにより確認することが可能となっても、最初に表面を確認する際に指紋等の汚れをつけたり、ディスク表面をキズつけてしまうことより、再生性能を劣化させるといった不具合が発生するという課題があった。
【０００５】
本発明は前記従来の課題を解決するもので、情報信号を記録または再生する光が入射する面を認識できる光ディスクを提供することを目的とする。
【課題を解決するための手段】
【０００６】
前記従来の課題を解決するため本発明は、情報信号を記録再生できる情報層を備え、前記情報層に光ビームを入射させ当該情報層に情報信号を記録または再生する記録面と、前記記録面と反対側のラベル面とを有し、前記記録面及び前記ラベル面夫々貼り付けられた２つのシートを備える光ディスクであって、前記記録面に貼り付けられたシートは、前記情報層に対して記録及び／または再生するレーザー光波長を透過し、前記ラベル面に貼り付けられたシートは、凹凸を含む印刷の追記可能であり、前記記録面に貼り付けられたシートは貼り替え可能である構成を備える。この構成によって、凹凸を含む印刷によって視覚障害者以外の人にも光ディスクに記録された内容を容易に判別可能とするとともに、記録面側を触る等により表面を破損しデータアクセスが不能となった場合でも、記録面側のシートを貼り換えるだけで、容易にデータアクセスを再度可能とする光ディスクを提供することができる。
【発明の効果】
【０００７】
以上のように、本発明の光ディスクにより、視覚障害を持っていても記録された内容が判り、記録面に触れる等で記録面側を破損しても再生可能な光ディスクを提供することが可能となる。
【発明を実施するための最良の形態】
【０００８】
本発明の光ディスクにおける最良の実施形態について、図面を参照しながら説明する。
【０００９】
図１は本実施形態における光ディスクの断面図である。同図において１０２は光ディスクの情報層１０３に対して情報信号を記録及び／または再生（以下、両者を録再と称す）する光ビームが入射する記録面に貼付したシート（以下、保護シートと称す）、１０４は記録と反対面側のラベル面に貼付したシートである。情報層１０３への録再は、光ピックアップ１０５ｂが放射した光ビーム１０５ａが透明基板１０１を透過することで行う。すなわち、光ディスクの情報層１０３に記録された情報信号を再生する時には、光ピックアップ１０５ｂから照射されたレーザー光１０５ａは、光ディスクの情報層１０３で反射され、再び光ピックアップのヘッド部１０５ｂを通って光ディスクの信号として再生される。光ディスクの情報層１０３に情報信号を記録する時は、光ピックアップ１０５ｂから照射されたレーザー光１０５ａにより光ディスクの記録面１０３に所定の情報信号が記録される。
【００１０】
ラベル面に貼付したシート１０４に記録する一例を図２に示す。同図において、２０１は絵情報、２０２は文字情報、２０３は光ディスク外周部のシート１０４を貼付していない領域、２０４は光ディスクのクランプ領域である。このように、シート１０４に絵情報２０１及び／または文字情報２０２を記録する。シート１０４には、例えば特開平０１−２５７８５４号公報に開示されているトナー材料をシート加工することにより凹凸のある視認画像が１００℃程度の加熱で得られ、例えば上述のトナー材料に用いた色材を（化１）のロイコ染料と（化２）の顕色剤とをモル比で１：３の割合で含有させることにより７０℃程度の加熱で視認情報が追記（１２０℃程度の加熱で消色）することができろと同時に１００℃程度の加熱により視認情報と凹凸情報とが得られる。特に凹凸を有する視認情報では、ラベル面と記録面との差違が明確に判別できるため好ましく、視覚障害者でも容易に判別することができる。なお、ラベル面に貼付したシート１０４は一般的には貼り替え不可能とすることが好ましいが、貼り替え可能としても何等問題はない。また、記録型光ディスクに記録ができる光ディスク装置を用いる場合には、シート１０４に直接凹凸を有する視認情報を追記することもできる。
【００１１】
【化１】
2007280576.tif 000003
【００１２】
【化２】
2007280576.tif 000004
一方、記録面に貼付する保護シート１０２は、光ピックアップ１０５ｂが放射する光ビーム１０５ａを透過すると同時に、保護シート１０２と透明基板１０１との合計厚みが情報層１０３に対する最適な光学特性を有するように設定する必要がある。また、保護シート１０２は貼り替え可能にすることにより、保護シート１０２表面に指紋や傷等が付着し光学特性を喪失した場合には貼り替えることで光学特性を復帰させることができる。
【００１３】
なお、図１では貼合型の光ディスクを例示したが、いわゆるコンパクトディスクのような単板型の光ディスクであっても良い。また、光ディスクの記録部およびディスククランプ部がディスクの物理規格に準じていれば記録・再生性能には影響をおよぼさないので、記録と反対面側のシート１０４をディスククランプ部２０２や外周側データ未記録領域２０３より小さくしておくことで、更に凹凸を判り易くしてもよい。
【産業上の利用可能性】
【００１４】
本発明にかかる光ディスクは民生用光ディスクとして有用である。
【図面の簡単な説明】
【００１５】
【図１】本発明の実施の形態１における光ディスク断面図
【図２】本発明の実施の形態１における光ディスクの上面図
【符号の説明】
【００１６】
１０２  保護シート
１０３  情報層
１０４  ラベル面のシート
【図１】
2007280576.tif 000005
【図２】
2007280576.tif 000006